(57)【特許請求の範囲】
【請求項１】
パウダー化粧料を充填する容器本体と、該容器本体内のパウダー化粧料の上面に載せる網皿とを有するパウダー容器において、前記容器本体の底部に引上片の一部を固定し、該引上片の端部を前記容器本体の内側壁に沿って配置したことを特徴とするパウダー容器。
【発明の詳細な説明】
【０００１】
【発明の属する技術分野】
本発明は容器本体内のパウダー化粧料の上面に網皿を載せて使用するパウダー容器において、化粧料を消費した後、化粧料の再充填にあたり容器底部に位置する網皿を簡単に取り外すことができるパウダー容器に関する。
【０００２】
【従来の技術】
近年、資源の有効活用などの観点から、化粧料を再補充して、繰り返し使用するパウダー容器が登場している。パウダー容器は、化粧料を充填した容器本体の内部に網皿を落として、この網皿を通してパフに適量の化粧料を付着させる構造が一般的であるが、上記したような化粧料の再補充の際には、網皿を一旦、退避させる必要があるが、化粧料が消費されて網皿が容器本体の底部に沈んだ状態では、その引上げが困難な場合が多かった。
【０００３】
この作業を簡単に行うために、例えば、特開平９-37840号公報に示すパウダー容器が提案されている。かかるパウダー容器は、別部材であるプレート状の取出具を用意し、周囲に枠を有する網皿内に上方から嵌め込んで、取出具を該枠内で突っ張らせることにより両者を係合させる。そして、取出具を引き上げることにより、網皿を吊り上げることができるものである。
【０００４】
【発明が解決しようとする課題】
しかしながら、上述した従来のパウダー容器では、網皿を取出すために、取出具という別部品を用意しなければならず、化粧料の再補充の頻度を考えると、かかる取出具の紛失の問題や保管場所の問題があり、最善の解決方法とは言えなかった。
【０００５】
また、この他に網皿自体に引上タブを設けることも考えられるが、容器本体内に化粧料が充分に充填されている場合は、この引上げタブが容器上方から突出することになり、パフの取回し時に干渉して使いづらいものとなってしまう。
【０００６】
そこで本発明の目的は、網皿を引き上げるに際し、別部品を必要とせず且つパウダー容器の通常の使用時に、その快適な使用を妨げることのない網皿の引上げ構造を有するパウダー容器を提供することにある。
【０００７】
【課題を解決するための手段】
上記課題を解決するため、本発明に係るパウダー容器は、容器本体の底部に引上片の一部を固定し、かかる引上片の端部を前記容器本体の内側壁に沿って配置することを特徴とする。
【０００８】
【発明の実施の形態】
本発明に係るパウダー容器の第一実施形態について、図１乃至図３を用いて説明する。図１は本実施形態に係るパウダー容器の容器本体の一部断面斜視図、図２はパウダー容器の使用方法の説明図、図３は引上片の取付構造の説明図である。
【０００９】
図２(a) に示すように、本実施形態に係るパウダー容器Ａは、容器本体１と該容器本体１内の化粧料Ｋ上に載せる網皿３とから構成され、鏡台や洗面所で使用される載置型の化粧用品である。また、網皿３上には、パフ４を載置することができ、蓋体２を容器本体１に被せて、化粧料Ｋが飛散することを防止することができる。
【００１０】
容器本体１は、上方に大きく開いた円筒状の容器であり、内部にパウダーなどの化粧料Ｋが充填される（図２(a) 参照）。網皿３は、合成樹脂製の環状の枠体３ａと、その内側に張り渡した網体３ｂとから構成され、かかる網皿３はインサート成形により一体に成形される。
【００１１】
また、図１ 並びに図２(a)に示すように、容器本体１の底部１ａには、引上片５が取りつけられている。
【００１２】
この引上片５は、ＰＥＴフィルムのような、剛性を有し、所定の形を維持できる材質で成形される薄いプラスチック片である。引上片５の一端５ａは、容器本体１の底部１ａの偏心位置に形成されたくぼみ１ｂに接着剤や熱溶着により固定され、他端５ｂは中途部の屈折部５ｃを経て容器本体１の内側壁１ｃに接するように配置される。
【００１３】
次に、図２を用いて、本実施形態の使用方法を説明する。まず、図２(a) に示すように、最初の状態にあっては、容器本体１に化粧料Ｋが満たされ、その上に網皿３が載置されている。引上片５は、一端５ａが容器本体１の底部１ａに固定された状態で、この底部１ａを横断し、さらに、他端５ｂは容器本体１の内側壁１ｃに沿って上昇して、その上端はこの内側壁１ｃと網皿３の枠体３ａと間に位置している。
【００１４】
図２(b) に示すように、容器本体１内部の化粧料Ｋを消費するにしたがって、網皿３は容器本体１の底部１ａに徐々に落ち込んでいく。
【００１５】
容器本体１内部の化粧料Ｋを使い尽くした場合は、化粧料Ｋを補充する作業を行う。図２(c) に示すように、化粧料Ｋを補充するためには、網皿３を引き上げる必要があるが、この作業を引上片５を引上げることにより行う。
【００１６】
引上片５の端部５ｂを持って上方へ引き上げると、他方の端部５ａが固定されているため、引上片５は斜めに傾斜した状態で引き上げられ、その中途部が網皿３の一端を容器本体１の底部１ａから上昇させるため、これを簡単に取り外すことができる。
【００１７】
そして、引上片５を初期の位置に戻し、これに化粧料Ｋを被せるようにして補充し、再度、網皿３を容器本体１内に戻すことにより作業を完了する。
【００１８】
以上説明したように、本実施形態のパウダー容器によれば、容器本体に化粧料Ｋを補充する場合に、なんら治具を有することなく、簡単に網皿を引き上げてこれを取り外すことができるため、化粧料の補充作業を簡単に行うことができる。
【００１９】
特に、本実施形態では、引上片５は剛性のあるプラスチック片により、容器本体の底部１ａ並びに内側壁１ｃにフィットする形状に成形されているために、通常の使用時に、網皿３より上方に出る部分がパフ４に干渉することなく、使いやすいパウダー容器となる。
【００２０】
なお、図３に引上片５の他の固定方法を示す。上述したように、上記実施形態では、引上片５の端部５ａは接着剤等で容器本体１に固定したが、引上片５には引っ張られた際、大きな力がかかるために、次のような方法で固定を行っても良い。
【００２１】
すなわち、図３(a) に示すように、引上片５の端部５ａに取付孔５ｘを形成し、この取付孔５ｘに容器本体１のくぼみ１ｂに形成した突起１ｄを通す。そして、図３(b) に示すように、突起１ｄの頭を加熱して潰すことにより、引上片５を確実に容器本体１の底部に固定することができる。
【００２２】
次に、本発明の第二実施形態を図４及び図５を用いて説明する。図４は第二実施形態のパウダー容器にかかる容器本体の一部断面斜視図、図５は同パウダー容器の使用方法の説明図である。
【００２３】
図４に示すように、本実施形態のパウダー容器Ｂは、第一実施形態のパウダー容器Ａと異なり、引上片の中央を容器本体の底部に固定したものである。
【００２４】
図４に示す引上片15は、その中央部15ａを容器本体11の底部11ａに形成されたくぼみ11ｂに固定し、両端15ｂを容器本体11の内側壁11ｃに沿って配置している。この状態で、網皿３（図５参照）を容器本体11内に落とすと、引上片15は、網皿３の枠体３ａと内側壁11ｃとの間に配置されることになる。
【００２５】
図５(a) に示すように、容器本体１内の化粧料を消費すると、網皿３は容器本体11の底部11ａまで落ち込み、一方、引上片15の両端部15ｂが容器本体11の内側壁11ｃに現れる。
【００２６】
そして、図５(b) に示すように、引上片15の一方の端部15ｂを手で引っぱることにより、網皿３を傾斜した状態で引き上げることができる。
【００２７】
このように、本実施例のパウダー容器Ｂにおいても、網皿３を簡単に取り外すことができ、もって、化粧料の補充を円滑に行うことができる。特に、本実施形態のパウダー容器Ｂでは、引上片15の両端部15ｂのいずれを引き上げても良いため、さらに使い勝手が良いパウダー容器となる。
【００２８】
なお、上記第一実施形態並びに第二実施形態のいずれも、引上片はプレート状のプラスチック片としたが、例えば、布製のリボンとしてもよいし、また、さらに紐状のものでも良い。また、引上片の端部が容器本体の内側壁から離れてしまうことを防止するため、内側壁にスリットなどの引上片の仮止め機構を形成してもよいことは勿論である。
【００２９】
【発明の効果】
以上説明したように、本発明によれば、別部品を必要とせず、簡単に網皿を引き上げてこれを取り外し、化粧料の補充を行うことができるパウダー容器を構成することができる。
【００３０】
また、本発明によれば、蓋体自体に引上げタブを形成することはないために、単純な網皿を用いることができ、パフに化粧料を付着させる作業を、快適に行うことができるパウダー容器となる。
【図面の簡単な説明】
【図１】本発明の第一実施形態にかかる容器本体の一部断面斜視図である。
【図２】同実施形態のパウダー容器の使用方法の説明図である。
【図３】引上片の固定作業の他の構造を示す説明図である。
【図４】本発明の第二実施形態にかかる容器本体の一部断面斜視図である。
【図５】同実施形態のパウダー容器の使用方法の説明図である。
【符号の説明】
Ａ、Ｂ      …パウダー容器
Ｋ          …化粧料
１、11      …容器本体
１ａ、11ａ  …底部
１ｃ、11ｃ  …内側壁
２    …蓋体
３    …網皿
５、15      …引上片
５ａ        …端部
５ｂ、15 ｂ …端部
【図１】
0004309507.tif 000002
【図２】
0004309507.tif 000003
【図３】
0004309507.tif 000004
【図４】
0004309507.tif 000005
【図５】
0004309507.tif 000006